(57)【要約】【課題】小型軽量のデジタルカメラ用のコンバージョンレンズ用アダプターがなく、デジタルカメラに適合する小型軽量で、取り付けが容易なレンズアダプターが求められていた。【解決手段】コンバージョンレンズと標準レンズのレンズ枠の外側面あるいは内側面と勘合し、該標準レンズのレンズ枠の表面と密着するとともに、該コンバージョンレンズを保持するアダプターレンズ枠と、カメラの背面に接触し、押圧密着によって該アダプターレンズ枠を保持する保持手段と該アダプターレンズ枠と該保持手段を結合する結合手段を具備したレンズアダプターを発明することによって前記の課題を解決した。【選択図】図１
2004191897.tif 000002
【特許請求の範囲】
【請求項１】
コンバージョンレンズと標準レンズのレンズ枠の外側面あるいは内側面と勘合し、該標準レンズのレンズ枠の表面と密着するとともに、該コンバージョンレンズを保持するアダプターレンズ枠とカメラの背面に接触し、押圧密着によって該アダプターレンズ枠を保持する保持手段と該アダプターレンズ枠と該保持手段を結合する結合手段を具備したことを特徴とするレンズアダプター。
【発明の詳細な説明】
【０００１】
【発明の属する技術分野】
本発明はレンズアダプターに関するものである。
【０００２】
【従来の技術】
近年、フイルムを全く用いないデジタルカメラの発展は目覚しく、解像力も年々向上しており、今ではその解像力はフイルムに迫りつつある。デジタルカメラの特徴は撮影画像が電子メモリーにデジタルデーターとして、蓄えられるだけでなく、設計段階においてカメラの形状に大きな自由度が与えている。即ち、撮像素子が非常に小型のため、例えばフイルムを用いるカメラのようにレンズの位置がカメラの中心に配置する必要がない。また、フイルムを用いるカメラ（以下フイルムカメラと呼ぶ）ではフイルムの厚み以下には薄くならないが、デジタルカメラでは撮像素子が薄く小型の為、非常に薄型にすることが出来る。
【０００３】
デジタルカメラには通常広角レンズが使われている事が多い。広角レンズは風景や人物などを撮影するには便利ではあるが、文献の複写や昆虫や草花の接写には不向きである。フイルムカメラではこれらの要求に答えるために、標準レンズに簡単に装着できるコンバージョンレンズがよく使われている。
【０００４】
コンバージョンレンズはカメラに標準装備されている標準レンズに組み合わせる事によってレンズの焦点距離を変えるレンズで、通常はコンバージョンレンズのレンズ枠に設けられたねじと標準レンズのレンズ枠に設けられたねじを螺合させる事によってコンバージョンレンズを標準レンズに固定する方法がとられている。
【０００５】
【発明が解決しようとする課題】
一方、デジタルカメラに使われているレンズは小型のものが多く、レンズ枠にはネジが切られていない事が多い。この為、通常のフイルムカメラ用のコンバージョンレンズ用アダプターは使用する事が出来なかった。デジタルカメラに適合する小型軽量で、取り付けが容易なレンズアダプターが求められていた。デジタルカメラは本体が小型軽量であり、レンズアダプターも小型、軽量のものが要求される
【０００６】
本発明の第一の目的はデジタルカメラに適合したレンズアダプターを提供することである。
【０００７】
本発明の第二の目的は小型軽量で装着の容易なデジタルカメラ用レンズアダプターを提供することである。
【０００８】
【課題を解決するための手段】
本発明はコンバージョンレンズと標準レンズのレンズ枠の外側面あるいは内側面と勘合し、該標準レンズのレンズ枠の表面と密着するとともに、該コンバージョンレンズを保持するアダプターレンズ枠とカメラの背面に接触し、押圧密着によって該アダプターレンズ枠を保持する保持手段と該アダプターレンズ枠と該保持手段を結合する結合手段を具備したレンズアダプターを発明することによって前記の課題を解決した。
【０００９】
【発明の実施の形態】
本発明の実施の態様はコンバージョンレンズと標準レンズのレンズ枠の外側面あるいは内側面と勘合し、該標準レンズのレンズ枠の表面と密着するとともに、該コンバージョンレンズを保持するアダプターレンズ枠とカメラの背面に接触し、押圧密着によって該アダプターレンズ枠を保持する保持手段と該アダプターレンズ枠と該保持手段を結合する結合手段を具備したことを特徴とするレンズアタプターに関するものである。
【００１０】
市場には多くの多種多様なデジタルカメラが商品化されているが、既に述べたようにデジタルカメラは非常に薄型にする事が可能であり、レンズ位置に対応するカメラの背面には特別なボタンやスイッチあるいはモニター等のない平面を持つカメラも少なくない。例えばカシオ（株）のＥＸＩＬＩＭ（商品名）シリーズなどはこの代表的なものである。
【００１１】
本発明のレンズアダプターは全体として、コの字型の形状をしており、このコの字の凹部にデジタルカメラを挟み込む構造となっている。コの字の向かい合う２つの面は、前面が標準レンズのレンズ枠と密着勘合するアダプターレンズ枠を具備し、後面は該アダプターレンズをデジタルカメラに対して密着保持する為の保持手段を具備している。コの字の枠は該アダプターレンズ枠と該保持手段を結合する結合手段である。
【００１２】
保持手段のカメラ背面への接触位置は、レンズの背面位置に対応する位置が好ましいが、その位置でなくても良い。
【００１３】
【実施例】
以下、図をもとに本発明を説明する。図１は本発明のレンズアタプターの１実施例を示すものである。断面図で示されている。図において、１はデジタルカメラ、１−１はデジタルカメラの背面、２は標準レンズのレンズ枠、３はアダプターレンズレンズ枠、３−１は標準レンズのレンズ枠の表面と密接するアダプターレンズレンズ枠の面、３−２は標準レンズのレンズ枠の外側面と勘合するアダプターレンズレンズ枠の面、４はコンバージョンレンズ、５はコの字の枠で該アダプターレンズ枠と該保持手段を結合する結合手段、６は該保持手段の構成要素に１つである弾性体、７は該保持手段の構成要素に１つであるネジ、８は該保持手段の構成要素に１つであって、ねじ７を回転させるためのつまみである。
【００１４】
コンバージョンレンズ４はアダプターレンズレンズ枠３によって保持され、該アダプターレンズレンズ枠は保持手段の弾性体の対向する部分で保持されている。
【００１５】
弾性体６はネジ７と連結し、該ネジ７の回転によって該弾性体６と該アダプターレンズレンズ枠３との間隔を変える事が出来る。
【００１６】
デジタルカメラにこのレンズアダプターを装着するには、まず、つまみ８を回転させて、アダプターレンズのレンズ枠３と弾性体６の間隔を広げ、その後アダプターレンズのレンズ枠３を、標準レンズのレンズ枠２の外側面と勘合させながら、標準レンズのレンズ枠２の表面と密着させる。
【００１７】
この操作により、デジタルカメラ１はアダプターレンズレンズ枠３と弾性体６で挟まれた状態になる。次につまみ８を回転させて、アダプターレンズレンズ枠３と弾性体６の間隔を狭くして、弾性体をデジタルカメラの背面に押圧密着させる。
【００１８】
アダプターレンズのレンズ枠や保持手段、結合手段は目的に応じて、金属やプラスチックなどの素材で作る事が出来る。
【００１９】
第２図は本発明の他の実施例を示すものである。図において、９は該保持手段の構成要素に１つであるコイルバネである。
【００２０】
デジタルカメラに他の実施例のレンズアダプターを装着するには、つまみ８をバネに逆らって移動させ、アダプターレンズのレンズ枠３と弾性体６との間隔を広げ、広げた状態でアダプターレンズのレンズ枠３を標準レンズのレンズ枠２の外側面と勘合させながら、標準レンズのレンズ枠２の表面と密着させる。
【００２１】
この操作により、デジタルカメラ１はアダプターレンズレンズ枠３と弾性体６で挟まれた状態になる。次につまみ８を離せば、バネの弾性により弾性体はもとの位置に戻り、レンズアダプターはデジタルカメラと密接して保持される。
【００２２】
第３図は本発明のさらに他の実施例を示すものである。図において１０は該保持手段の構成要素に１つである可動板、１１は該可動板１０の回転軸、１２は該保持手段の構成要素に１つである板バネである。弾性体６は該可動板１０に取り付けられており、該可動板１０は該回転軸１１の周りに枠５の一端に対して相対的に回転可能となっている。該板バネ１２は、該可動板１０に取り付けられた該弾性体６が、本発明のレンズアダプターがデジタルカメラの背面を常に押圧保持されるように働く。
【００２３】
デジタルカメラにさらに他の実施例のレンズアダプターを装着するには、可動板をバネに逆らって回転させ、アダプターレンズのレンズ枠３と弾性体６との間隔を広げ、広げた状態でアダプターレンズのレンズ枠３を標準レンズのレンズ枠２の外側面と勘合させながら、標準レンズのレンズ枠２の表面と密着させる。
【００２４】
この操作により、デジタルカメラ１はアダプターレンズレンズ枠３と弾性体６で挟まれた状態になる。次に可動板を離せば、バネの弾性により弾性体はもとの位置に戻り、レンズアダプターはデジタルカメラと密接して保持される。
【００２５】
第４図は本発明の第４の実施例を示すものである。図において１３は大型板バネである。該大型板バネ１３の一端は枠５の一端に固着され、その中間部分でデジタルカメラの背面と密着する。
【００２６】
デジタルカメラに第４の実施例のレンズアダプターを装着するには、板バネをバネ圧に逆らって、アダプターレンズのレンズ枠３と板バネとの間隔を広げ、広げた状態でアダプターレンズのレンズ枠３を標準レンズのレンズ枠２の外側面と勘合させながら、標準レンズのレンズ枠２の表面と密着させる。
【００２７】
この操作により、デジタルカメラ１はアダプターレンズレンズ枠３と弾性体６で挟まれた状態になる。次に板バネを離せば、バネの弾性により板バネはもとの位置に戻り、レンズアダプターはデジタルカメラと密接して保持される。
【００２８】
もちろん別の弾性体を板バネに取り付け、該別の弾性体でデジタルカメラの背面を押圧保持して良いことは言うまでもない。
【００２９】
【発明の効果】
本発明は以下の効果を得る事が出来る。
１    デジタルカメラの応用分野が大きく広がる。趣味分野だけでな実用分野に応用が広がる。
２    今まで、不可能であったデジタルカメラを使って文書の記録や特定部位の拡大近接撮影が可能となる。
３    コンバージョンレンズの種類を変えることにより拡大近接撮影だけでなく，遠距離拡大撮影も可能となる。
４    アダプターは小型軽量で携行は非常に容易である。
５    アダプターの装着が簡単に出来る。
【図面の簡単な説明】
【図１】本発明のレンズアタプターの１実施例を示すものである。
【図２】本発明の他の実施例を示すものである。
【図３】本発明のさらに他の実施例を示すものである。
【図４】本発明の第４の実施例を示すものである。
【符号の説明】
１      デジタルカメラ。
１−１  デジタルカメラの背面。
２      標準レンズのレンズ枠。
３      アダプターレンズレンズ枠。
３−１  標準レンズのレンズ枠の表面と密接するアダプターレンズ
レンズ枠の面。
３−２  標準レンズのレンズ枠の外側面と勘合するアダプターレンズ
レンズ枠の面。
４      コンバージョンレンズ。
５      コの字の枠で該アダプターレンズ枠と保持手段を結合する結合手段。
６      保持手段の構成要素に１つである弾性体。
７      保持手段の構成要素に１つであるネジ。
８      保持手段の構成要素に１つであるつまみ。
９      保持手段の構成要素に１つであるコイルバネ。
１０    保持手段の構成要素に１つである可動板。
１１    可動板１０の回転軸。
１２    保持手段の構成要素に１つである板バネ。
１３    大型板バネ。
【図１】
2004191897.tif 000003
【図２】
2004191897.tif 000004
【図３】
2004191897.tif 000005
【図４】
2004191897.tif 000006